(57)【特許請求の範囲】
【請求項１】
一方のフィルムと他方のフィルムを対向して周囲の所定幅を熱溶着することにより熱溶着部が形成され、上部の左右両端部の同一水準位置に各々切込線が設けられ、上記両切込線を結ぶ仮想延長線に沿って易開封手段を有する段差カット可能な包装袋において、
一方のフィルムの易開封手段は、上記両切込線の上記仮想延長線に沿う中央直線状切目線が形成され、
上記中央直線状切目線の両端側には、左右の上記両切込線の各々の上下に互いに平行な一方上部直線状切目線と一方下部直線状切目線と、これら一方上下部直線状切目線の両内側端同士を結ぶ第１傾斜切目線とが左右対称に形成され、
上記第１傾斜切目線の各内側端と上記中央直線状切目線の両端部とを結ぶ第２傾斜切目線が左右対称に形成され、
他方のフィルムの易開封手段は、左右の上記切込線の各々の上下に互いに平行な他方上部直線状切目線と他方下部直線状切目線とが左右対称に設けられ、
左右の上記他方上部直線状切目線の各内側端から中央部を結ぶ切目線であって、ジグザグ状の直線から構成される上部ジグザグ状切目線と、
左右の上記他方下部直線状切目線の各内側端から中央部を結ぶ切目線であって、上記上部ジグザグ状切目線と逆位相に構成される下部ジグザグ状切目線と、
上記上部ジグザグ状切目線と上記下部ジグザグ状切目線の間に位置する切目線であって、上記上下部ジグザグ状切目線の各上下頂点部の左右方向位置にひし形の上下頂点の位置が一致すると共に、上記ひし形の左右頂点が上記仮想延長線上に位置する連続ひし形状切目線とから構成され、
左右の上記第１傾斜切目線の上記両内側端の位置は、上記左右の上記熱溶着部の両内縁より各々内側に位置するものである段差カット可能な包装袋。
【請求項２】
上記他方のフィルムの上記連続ひし形状切目線の各ひし形の上の隣接する二辺は、上記上部ジグザグ状切目線の隣接する二辺に近接しつつ平行であり、
上記連続ひし形状切目線の各ひし形の下の隣接する二辺は、上記下部ジグザグ状切目線の隣接する二辺に近接しつつ平行である請求項１記載の段差カット可能な包装袋。
【請求項３】
上記一方のフィルムと上記他方のフィルムの上記一方及び他方上部直線状切目線は表裏同一水準位置に設けられており、
上記一方のフィルムと上記他方のフィルムの上記一方及び他方下部直線状切目線は表裏同一水準位置に設けられており、
上記切込線は上記一方上部直線状切目線と上記一方下部直線状切目線との上下方向の距離の中間位置に設けられているものである請求項１又は２記載の段差カット可能な包装袋。
【請求項４】
上記他方のフィルムの上記上部ジグザグ状切目線と上記下部ジグザグ状切目線の上下方向の中央位置に、上記一方のフィルムの上記中央直線状切目線が位置しているものである請求項１〜３の何れかに記載の段差カット可能な包装袋。
【請求項５】
上記他方のフィルムの上記連続ひし形状切目線の各ひし形は、各水平対角線に沿って上記一方のフィルムの上記中央直線状切目線が位置しているものである請求項１〜４の何れかに記載の段差カット可能な包装袋。
【請求項６】
上記上部ジグザグ状切目線と上記下部ジグザグ状切目線の上下の最接近位置に、上記連続ひし形状切目線の各ひし形の各水平対角線の左右頂点が位置しており、
上記上部ジグザグ状切目線と上記下部ジグザグ状切目線の上下の最も間隔の開いた位置に、上記連続ひし形状切目線の各ひし形の各垂直対角線の上下頂点が位置しているものである請求項１〜５の何れかに記載の段差カット可能な包装袋。
【発明の詳細な説明】
【技術分野】
【０００１】
本発明は、包装袋の上方位置の易開封手段において、開封部に段差を生じさせる切目線を設けた段差カット可能な包装袋に関する。
【背景技術】
【０００２】
従来、この種の包装袋において、包装袋の一面側において、上側と下側に同位相の一対の波型のハーフカット線（誘導線）を設け、包装袋の他面側において、上方の波型のハーフカット線（誘導線）と下方の波型のハーフカット線（誘導線）の間に、２本の直線状のハーフカット線（誘導線）を設け、上方の波型のハーフカット線と上側の直線状のハーフカット線に沿って上辺を切断した場合は、上方の波型のハーフカット線が上側の直線状のハーフカット線の上に残り、下方の波型のハーフカット線と下側の直線状のハーフカット線に沿って上辺を切断した場合は、下側の直線状のハーフカット線の下側に下方の波型のハーフカット線が残り、何れも上辺の切断後に包装袋の開口部を容易に開封し得るものが提案されている（例えば特許文献１）。
【先行技術文献】
【特許文献】
【０００３】
【特許文献１】特許第６１４２９６０号公報
【発明の概要】
【発明が解決しようとする課題】
【０００４】
ところで、特許文献１の包装袋は、上記一面側において、力の入れ加減によって切断線が波型のハーフカット線からずれてしまことがあり、一旦ずれが生ずると、切断線の方向を修正することができないため、開封部に適切な段差が形成されない場合が発生した。
【０００５】
また、製袋時は、袋を構成するフィルム（例えばナイロンフィルム）は左右方向（横方向）に収縮するため、収縮により袋の外縁に設けられたノッチが、ハーフカット線を横切るか、或いは、ノッチとハーフカット線が近接してしまうことがあり、このような事象が生ずると、ノッチからの切断線をうまくハーフカット線に誘導できない場合が生じる、という課題がある。
【０００６】
本発明は、開封部に確実に段差を生じさせることができ、しかもフィルムの左右方向の収縮に対応し得る段差カット可能な包装袋を提供することを目的とする。
【課題を解決するための手段】
【０００７】
上記の目的を達成するため本発明は、
第１に、一方のフィルムと他方のフィルムを対向して周囲の所定幅を熱溶着することにより熱溶着部が形成され、上部の左右両端部の同一水準位置に各々切込線が設けられ、上記両切込線を結ぶ仮想延長線に沿って易開封手段を有する段差カット可能な包装袋において、一方のフィルムの易開封手段は、上記両切込線の上記仮想延長線に沿う中央直線状切目線が形成され、上記中央直線状切目線の両端側には、左右の上記両切込線の各々の上下に互いに平行な一方上部直線状切目線と一方下部直線状切目線と、これら一方上下部直線状切目線の両内側端同士を結ぶ第１傾斜切目線とが左右対称に形成され、上記第１傾斜切目線の各内側端と上記中央直線状切目線の両端部とを結ぶ第２傾斜切目線が左右対称に形成され、他方のフィルムの易開封手段は、左右の上記切込線の各々の上下に互いに平行な他方上部直線状切目線と他方下部直線状切目線とが左右対称に設けられ、左右の上記他方上部直線状切目線の各内側端から中央部を結ぶ切目線であって、ジグザグ状の直線から構成される上部ジグザグ状切目線と、左右の上記他方下部直線状切目線の各内側端から中央部を結ぶ切目線であって、上記上部ジグザグ状切目線と逆位相に構成される下部ジグザグ状切目線と、上記上部ジグザグ状切目線と上記下部ジグザグ状切目線の間に位置する切目線であって、上記上下部ジグザグ状切目線の各上下頂点部の左右方向位置にひし形の上下頂点の位置が一致すると共に、上記ひし形の左右頂点が上記仮想延長線上に位置する連続ひし形状切目線とから構成され、左右の上記第１傾斜切目線の上記両内側端の位置は、上記左右の上記熱溶着部の両内縁より各々内側に位置するものである段差カット可能な包装袋により構成される。
【０００８】
上記一方のフィルムとは例えば表面側の積層フィルム（１）をいう。上記他方のフィルムとは例えば裏面側の積層フィルム（２）をいう。上記切込線とは所謂ノッチ（４）をいう。このように構成すると、左右の第１傾斜切目線の両内側端の位置は、上記左右の上記熱溶着部の両内縁より各々内側に位置するから、切込線からの仮想延長線（実際には切断線）が、第１傾斜切目線に到達するまで距離（Ｔ）が長くなるので、仮に、製袋時等にフィルムの左右方向の収縮が生じても、切込線と第１傾斜切目線とが近接、或いは、切込線が第１傾斜切目線を横切ることはなく、フィルムの左右方向の収縮が生じても、段差付の開封性には何ら影響を及ぼさない。また、上辺部を摘まんで易開封手段に沿って上辺部を切断すると、一方のフィルムには中央直線状切目線に沿った直線状の切断線が表れ、他方のフィルムには例えば上部ジグザグ状切目線に沿った切断線が直線状の切断線の上に表れるので、段差が生じたことを視認し易いと共に、ジグザグ状の切断線に指を掛けて容易に開封することが可能となる。
【０００９】
第２に、上記他方のフィルムの上記連続ひし形状切目線の各ひし形の上の隣接する二辺は、上記上部ジグザグ状切目線の隣接する二辺に近接しつつ平行であり、上記連続ひし形状切目線の各ひし形の下の隣接する二辺は、上記下部ジグザグ状切目線の隣接する二辺に近接しつつ平行である上記第１記載の段差カット可能な包装袋により構成される。
【００１０】
上記近接は、上下部ジグザグ状切目線の二辺と連続ひし形状切目線の上下の二辺の間隔が例えば各々１ｍｍ程度であることをいう。このように構成すると、例えば他方のフィルムにおいて、上部ジグザグ状切目線に沿って切断されている途中に、切断線が上部ジグザグ状切目線からずれたとしても、近接しつつ平行である連続ひし形状切目線の上の二辺に、上記切断線は誘導され、その後は連続ひし形状切目線のひし形に沿って切断することができるし、下部ジグザグ状切目線に沿って切断されている途中に、切断線が上記下部ジグザグ状切目線からずれたとしても、近接しつつ平行である連続ひし形状切目線の下の二辺に、上記切断線は誘導され、その後は連続ひし形状切目線のひし形に沿って切断することができるので、何れにしても、段差を確実に形成することが可能となる。
【００１１】
第３に、上記一方のフィルムと上記他方のフィルムの上記一方及び他方上部直線状切目線は表裏同一水準位置に設けられており、上記一方のフィルムと上記他方のフィルムの上記一方及び他方下部直線状切目線は表裏同一水準位置に設けられており、上記切込線は上記一方上部直線状切目線と上記一方下部直線状切目線との上下方向の距離の中間位置に設けられているものである上記第１又は２記載の段差カット可能な包装袋により構成される。
【００１２】
このように構成すると、切込線から開始された切断線が、第１傾斜切目線に到達する前に、一方又は他方上部直線状切目線、或いは、一方又は他方下部直線状切目線に到達したとしても、上記各直線状切目線は一方と他方にて同一水準位置に形成されているので、一方のフィルム側は、第１又は第２傾斜切目線を介して中央直線状切目線に誘導し得るし、他方のフィルム側も、上部ジグザグ状切目線又は下部ジグザグ状切目線又は連続ひし形状切目線に各々誘導することができ、開口部を段差状に開口することが可能となる。
【００１３】
第４に、上記他方のフィルムの上記上部ジグザグ状切目線と上記下部ジグザグ状切目線の上下方向の中央位置に、上記一方のフィルムの上記中央直線状切目線が位置しているものである上記第１〜３の何れかに記載の段差カット可能な包装袋により構成される。
【００１４】
このように構成すると、一方のフィルムは中央直線状切目線に沿って必ず切断され、他方のフィルムは上部又は下部ジグザグ状切目線に沿って切断されるので、開口部に確実に段差を生じさせることができる。しかも、切断線は、一方のフィルムは直線、他方のフィルムはジグザグ状になるため、視覚的に開口部に段差があることを、容易に判別することができるものである。
【００１５】
第５に、上記他方のフィルムの上記連続ひし形状切目線の各ひし形は、各水平対角線に沿って上記一方のフィルムの上記中央直線状切目線が位置しているものである上記第１〜４の何れかに記載の段差カット可能な包装袋により構成される。
【００１６】
このように構成すると、連続ひし形状切目線の各ひし形は、上部ジグザグ状切目線と下部ジグザグ状切目線の中間に位置しているため、各ひし形は、上部又は下部ジグザグ状切目線からずれた切断線を容易に捕捉して、連続ひし形状切目線の上の辺又は下の辺に沿って切断線を誘導することができるし、仮に、連続ひし形状切目線に沿って切断されても、その水平対角線に沿って中央直線状切目線が位置しているので、上辺部の切断後は、開口部に段差があることを視覚的に明確に示すことができる。
【００１７】
第６に、上記上部ジグザグ状切目線と上記下部ジグザグ状切目線の上下の最接近位置に、上記連続ひし形状切目線の各ひし形の各水平対角線の左右頂点が位置しており、上記上部ジグザグ状切目線と上記下部ジグザグ状切目線の上下の最も間隔の開いた位置に、上記連続ひし形状切目線の各ひし形の各垂直対角線の上下頂点が位置しているものである上記第１〜５の何れかに記載の段差カット可能な包装袋により構成される。
【００１８】
このように構成すると、上記連続ひし形状切目線の上の辺に沿って上記上部ジグザグ状切目線が位置することになり、上記連続ひし形切目線の下の辺に沿って上記下部ジグザグ状切目線が位置することになり、上部又は下部ジグザグ状切目線からずれた切断線は、連続ひし形状切目線の上の辺又は下の辺に沿って切断することができ、何れにしても開口部に明確な段差を形成することが可能となる。
【発明の効果】
【００１９】
本発明によれば、左右の第１傾斜切目線の両内側端の位置は、上記左右の上記熱溶着部の両内縁より各々内側に位置するから、切込線からの仮想延長線（実際には切断線）が、第１傾斜切目線に到達するまで距離が長くとってあるので、仮に、製袋時にフィルムの左右方向の収縮が生じても、切込線と切目線とが近接或いは、切込線が切目線を横切ることはなく、フィルムの左右方向の収縮が生じても、段差付の開封性には何ら影響を及ぼさない。
【００２０】
また、上辺部を摘まんで易開封手段に沿って上辺部を切断すると、一方のフィルムには中央直線状切目線に沿った直線状の切断線が表れ、他方のフィルムには例えば上部又は下部ジグザグ状切目線に沿った切断線が直線状の切断線の上又は下に表れるので、段差が生じたことを視認し易いと共に、ジグザグ状の切断線に指を掛けて容易に開封することが可能となる。
【００２１】
また、例えば他方のフィルムにおいて、上部ジグザグ状切目線に沿って切断されている途中に、切断線が上記ジグザグ状切目線からずれたとしても、近接しつつ平行である連続ひし形状切目線の上に二辺に、上記切断線は誘導され、その後は連続ひし形状切目線のひし形に沿って切断することができるし、下部ジグザグ状切目線に沿って切断されている途中に、切断線が上記下部ジグザグ状切目線からずれたとしても、近接しつつ平行である連続ひし形状切目線の下の二辺に、上記切断線は誘導され、その後は連続ひし形状切目線のひし形に沿って切断することができるので、何れにしても、段差を確実に形成することが可能となる。
【００２２】
また、切込線から開始された切断線が、第１傾斜切目線に到達する前に、一方又は他方上部直線状切目線、或いは、一方又は他方下部直線状切目線に到達したとしても、上記各直線状切目線は一方と他方にて同一水準位置に形成されているので、一方のフィルム側は、第１又は第２傾斜切目線を介して中央直線状切目線に誘導し得るし、他方のフィルム側も、上部ジグザグ状切目線又は下部ジグザグ状切目線又は連続ひし形状切目線に各々誘導することができ、開口部を段差状に開口することが可能となる。
【００２３】
また、一方のフィルムは中央直線状切目線に沿って必ず切断され、他方のフィルムは上部又は下部ジグザグ状切目線に沿って切断されるので、開口部に確実に段差を生じさせることができる。しかも、切断線は、一方のフィルムは直線、他方のフィルムはジグザグ状になるため、視覚的に開口部に段差があることを、容易に判別することができるものである。
【００２４】
また、連続ひし形状切目線は、上部ジグザグ状切目線と下部ジグザグ状切目線の中間に位置しているため、上部又は下部ジグザグ状切目線からずれた切断線を容易に捕捉して、連続ひし形状切目線の上の辺又は下の辺に沿って切断線を誘導することができるし、仮に、連続ひし形状切目線に沿って切断されても、その水平対角線に中央直線状切目線が位置しているので、上辺部の切断後は、開口部に段差があることを視覚的に明確に示すことができる。
【００２５】
また、上記連続ひし形状切目線の上の辺と上記上部ジグザグ状切目線が平行となり、上記連続ひし形切目線の下の辺と上記下部ジグザグ状切目線が平行となるため、上部又は下部ジグザグ状切目線からずれた切断線は、連続ひし形状切目線の上の辺又は下の辺に沿って切断することができ、何れにしても開口部に明確な段差を形成することが可能となる。
【図面の簡単な説明】
【００２６】
【図１】本発明に係る段差カット可能な包装袋の正面図である。
【図２】同上包装袋の背面図である。
【図３】同上包装袋の易開封手段近傍の拡大正面図である。
【図４】同上包装袋の易開封手段近傍の拡大背面図である。
【図５】同上包装袋の裏面側の易開封手段近傍の拡大正面図である。
【図６】同上包装袋の開封後の状態を示す同包装袋の正面図である。
【図７】同上包装袋の開封後の状態を示す同包装袋の正面図である。
【図８】同上包装袋の他の実施形態の易開封手段近傍の拡大正面図である。
【発明を実施するための形態】
【００２７】
以下、本発明に係る段差カット可能な包装袋について詳細に説明する。
【００２８】
表面側の積層フィルム（一方のフィルム）１（図１参照）と、裏面側の積層フィルム（他方のフィルム）２（図２参照）を対向して周囲の所定幅を熱溶着することにより熱溶着部３が形成され、上部の左右両端部の同一水準位置に各々ノッチ（表面側の積層フィルム１と裏面側の積層フィルム２を貫通する切込線）４，４が設けられ、上記両ノッチ４，４を結ぶ仮想延長線Ｌ１に沿って表面側の易開封手段５、及び、裏面側の易開封手段６を各々有する段差カット可能な包装袋７を構成するものである。上記フィルムは積層フィルムを含む概念である。
【００２９】
尚、図１において、紙面に向かって左右を「左右方向」、紙面に向かって上下を「上下方向」という。従って、熱溶着部３は、左側の熱量着部３ａ、右側の熱量着部３ｂ、上部の熱溶着部３ｃ、下部の熱溶着部３ｄとする。図２（図４、図５等も同じ）は図１に対して、積層フィルムを裏返した状態を示しており、従って、図１とは左右のみが逆転する。
【００３０】
また、図１、図２において、熱溶着部３より外側方向を「外側」といい、熱溶着部３より内側方向（袋の中央部側）を「内側」という。また、表面の積層フィルム１を「表面側」、裏面の積層フィルム２を「裏面側」ともいう。
【００３１】
また、以下に説明する「切目線」とは、積層フィルム１，２の表面のフィルムのみにレーザにより所定深さのハーフカット線を設ける公知の技術であり、積層フィルムは貫通しておらず、開封時に切断線を誘導するための誘導線をいう。
【００３２】
また、図１、図２において、符号２１は上記易開封手段５，６の下側に設けられた公知の再封手段であり、袋の内側に樹脂製の突条と、突条が嵌合可能な凹条を左右方向に設け、上辺部１’を切除した後、上記突条を上記凹条に嵌合することにより、再度開口部を封鎖することができるものである。この再封手段２１は、設けても良く、設けなくても良い。
【００３３】
図１、図３に示すように、表面側の積層フィルム１の易開封手段５は、上記両ノッチ４，４を結ぶ上記仮想延長線Ｌ１に沿う１本の中央直線状切目線８が形成され、上記中央直線状切目線８の両端部（両方の端部）８ａ，８ａの近傍（両端側）には、左右の上記両ノッチ４，４の各々の上下に互いに平行な一方上部直線状切目線９，９と一方下部直線状切目線１０，１０とが左右対称に設けられ、これら一方上部直線状切目線９，９と一方下部直線状切目線１０，１０の両内側端９ａ，１０ａ同士を結ぶ第１傾斜切目線１１，１１が左右対称に設けられている（図３参照）。
【００３４】
尚、以下の説明において、上記ノッチ４，４周辺の切目線の構成は表裏とも左右対称であるため（図１参照）、図３、図４において左側のみ説明し、右側は必要に応じて符号をかっこ書で示す。
【００３５】
上記左右のノッチ４（４）は、左右の上記一方上部直線状切目線９（９）と上記一方下部直線状切目線１０（１０）の上下方向の距離の中心位置に設けられており、また、上記一方上部直線状切目線９（９）の内側端９ａ（９ａ）は、左右の熱溶着部３ａ（３ｂ）の内縁３ａ’（３ｂ’）より、相当程度内側まで入り込んでおり、上記一方下部直線状切目線１０（１０）の内側端１０ａ（１０ａ）は、上記内縁３ａ’(３ｂ’)の外側方向（熱溶着部３ａ（３ｂ）内）に位置している。即ち、一方上部直線状切目線９（９）は長く、一方下部直線状切目線１０（１０）は短く形成されている。
【００３６】
よって、上記第１傾斜切目線１１（１１）は、上記外側端１１ｂ（１１ｂ）（上記内側端１０ａと同一点）から上記内側端１１ａ(１１ａ)（上記内側端９ａと同一点）に（袋の外側から内側に向けて）上り傾斜に設けられている。
【００３７】
さらに、上記第１傾斜切目線１１(１１)の上記各内側端１１ａ（１１ａ）（上記内側端９ａと同一点）と、上記直線状切目線８の両端部８ａ（８ａ）とを結ぶ第２傾斜切目線１２（１２）が左右対称に形成されている。上記第２傾斜切目線１２（１２）は、上記ノッチ４（４）を結ぶ仮想延長線Ｌ１に沿う中央直線状切目線８の両端部８ａ（８ａ）に、上側の上記表面上部直線状切目線９(９)の内側端９ａ（９ａ）（上記内側端１１ａと同一点）から向かうものであるため、外側から内側に向かって下り傾斜に設けられている。
【００３８】
裏面側の積層フィルム（他方のフィルム）２の易開封手段６（図２、図４参照）は、左右の上記ノッチ４（４）の各々の上下に互いに平行な他方上部直線状切目線１３（１３）と他方下部直線状切目線１４（１４）とが左右対称に設けられ、左右の上記他方上部直線状切目線１３（１３）の各内側端１３ａ（１３ａ）から中央部を結ぶ切目線であって、ジグザグ状の直線から構成される上部ジグザグ状切目線１５と、左右の上記他方下部直線状切目線１４（１４）の各内側端１４ａ（１４ａ）から中央部を結ぶ切目線であって、上記上部ジグザグ状切目線１５と逆位相に構成される下部ジグザグ状切目線１６が設けられている。
【００３９】
ここで、本発明に係る上記上部ジグザグ状切目線１５は、その下の頂点１５ｂの水平の水準位置は、上記内側端１３ａ（１３ａ）の同一の水準位置であり、上の頂点１５ａの位置は上記内側端１３ａ（１３ａ）の水準位置より上方に設けられているようなジグザグ状の切目線である。要するに、上部ジグザグ状切目線１５は、上記内側端１３ａ（１３ａ）の水準を０レベルとした一定周期の三角パルス波のような波形を構成している（図２参照）。
【００４０】
また、上記下部ジグザグ状切目線１６は、その上の頂点１６ｂの水平の水準位置は、上記内側端１４ａ（１４ａ）の同一の水準位置であり、下の頂点１６ａの位置は上記内側端１４ａ（１４ａ）の水準位置より下方に設けられているようなジグザグ状の切目線である。要するに、上部ジグザグ状切目線１６は、上記内側端１４ａ（１４ａ）の水準を０レベルとした一定周期でかつ、上記上部ジグザグ状切目線１５とは逆位相の三角パルス波のような波形を構成している。
【００４１】
尚、以下の説明において、「左右方向位置が一致する」とは、例えば上部ジグザグ状切目線１５の上の頂点１５ａと下部ジグザグ状切目線１６の下の頂点１６ａは、上下方向には間隔を有しているが、左右方向の位置が一致しており、このように上下方向には間隔があるが、左右方向には一致している場合に使用する。
【００４２】
図２では、上部ジグザグ状切目線１５は、５個の山から構成されており、下部ジグザグ状切目線１６は上記山とは逆位相の５個の谷から構成されている。尚、本実施形態では、上下部ジグザグ状切目線１５，１６は各々５個の山、谷から構成されているが、山、谷は、５個に限定されず、上部ジグザグ状切目線１５側が２個〜１０個の山、下部ジグザグ状切目線１６側が上記山とは逆位相の２個〜１０個の谷、により構成することもできる。また、山と谷の個数は合わせることが好まく、山が２個の場合は、逆位相の谷は２個、山が７個の場合は、逆位相の谷は７個等とすることが好ましい。
【００４３】
即ち、図２に示すように、上記下部ジグザグ状切目線１６は、上記ジグザグ状切目線１５とは逆位相、即ち、上部ジグザグ状切目線１５の各上頂点１５ａと、下部ジグザグ状切目線１６の各下頂点１６ａが左右方向の位置で一致しており（頂点１５ａと頂点１６ａで最も上下方向間隔の広い部分を構成し）、上部ジグザグ状切目線１５の下頂点１５ｂと、下部ジグザグ状切目線１６の上頂点１６ｂが左右方向の位置で一致する（頂点１５ｂと頂点１６ｂで最も上下方向間隔の狭い部分を構成している）ように構成されている。
【００４４】
これにより、上部ジグザグ状切目線１５と下部ジグザグ状切目線１６とは、上下方向には接触しておらず、所定の上下方向間隔を有しているが、全体としては、１つの山と谷によって、左右方向に連続する略ひし形状に構成されている。
【００４５】
さらに、上記上部ジグザク状切目線１５と上記下部ジグザグ状切目線１６の間には、上記上部ジグザグ状切目線１５と、上記下部ジグザグ状切目線１６に平行に近接してひし形１７’が左右に連側する連続ひし形状切目線１７が形成されている（図２、図４、図５参照）。
【００４６】
この連続ひし形状切目線１７の１つのひし形１７’に着目すると（図５参照）、１つのひし形１７’は、上部ジグザグ状切目線１５の上の二辺（辺）１５ｃ，１５ｄに近接し、かつ平行な上の二辺（辺）１７ａ，１７ｂと、下部ジグザグ状切目線１６の下の二辺（辺）１６ｃ，１６ｄに近接し、かつ平行な下の二辺（辺）１７ｃ，１７ｄとからなるものであり、上記上下部ジグザグ状切目線１５，１６の各頂点１５ａ（上頂点），１６ａ（下頂点）の位置に、ひし形１７’の上下頂点１７ｅ，１７ｆの左右方向位置が一致していると共に、上下部ジグザグ状切目線１５，１６の各頂点部１５ｂ（下頂点），１６ｂ（上頂点）の位置に、上記ひし形１７’の左右頂点１７ｇ，１７ｇの左右方向位置が一致しているように構成されている。
【００４７】
そして、連続ひし形切目線１７の連続する各ひし形１７’の各左右頂点１７ｇ，１７ｇは、表面側の中央直線状切目線８（仮想延長線Ｌ１）に沿って位置するように構成されている（図５参照）。
【００４８】
従って、上部ジグザグ状切目線１５の上の二辺１５ｃ，１５ｄと上記ひし形１７’の上の二辺１７ａ，１７ｂの間隔は常時一定かつ平行であり、例えば約１ｍｍに形成される。また、上部ジグザグ状切目線１６の下の二辺１６ｃ，１６ｄと上記ひし形１７’の下の二辺１７ｃ，１７ｄの間隔は常時一定かつ平行であり、例えば約１ｍｍに形成される。
【００４９】
よって、上部ジグザグ状切目線１５（上辺１５ｃ，１５ｄ）又は下部ジグザグ状切目線１６（下辺１６ｃ，１６ｄ）と、上記連続ひし形状切目線１７の上辺１７ａ，１７ｂと下辺１７ｃ，１７ｄとは、常時、一定の間隔（例えば１ｍｍ）を以って、左右方向に平行に形成されることになる。
【００５０】
このように、上記上部ジグザグ状切目線１５の１つの山（三角状の山）と、上記下部ジグザグ状切目線１６の谷（三角状の谷）によって形成される略ひし形状の空間内に、上記略ひし形状に構成される空間の略ひし形状に概略相似形状のひし形１７’が連続して位置していることになる（図２、図５参照）。
【００５１】
さらに、図３、図４に示すように、左右の上記第１傾斜切目線１１（１１）の上記両内側端１１ａ（１１ａ）（内側端９ａと同一点）の位置は、上記左右の上記熱溶着部３ａ（３ｂ）の両内縁３ａ’（３ｂ’）より各々内側に位置するように構成されている。さらに、上記第１傾斜切目線１１（１１）の外側端１１ｂ（１１ｂ）（内側端１０ａと同一点）は、上記熱溶着部３ａ(３ｂ)の内縁３ａ’(３ｂ’)より、若干外側、即ち、熱溶着部３ａ（３ｂ）の内部に設けられている。
【００５２】
これは、熱溶着部３ａ(３ｂ)の外縁３ａ”(３ｂ”)から、上記仮想延長線Ｌ１が上記第１傾斜切目線１１に交差する位置までの距離Ｔ（図３、図４参照）を長く設定することにより（例えばＴ＝８ｍｍ〜１０ｍｍ）、ナイロン等のフィルムが左右方向に収縮したとき、ノッチ４が上記第１傾斜切目線１１にかかる（フィルムが左右方向に収縮してノッチ４の内側端が第１傾斜切目線１１の位置まで至ること）を防止して、仮にフィルムが収縮した場合であっても、上記距離Ｔを十分にとって、ノッチ４が上記第１傾斜切目線１１に至ることを防止するものである。
【００５３】
また、図３、図４に示すように、表面側の積層フィルム１の上記一方上部直線状切目線９と裏面側の積層フィルム２の他方上部直線状切目線１３は表裏同一水準位置に設けられており、表面側の積層フィルム１の上記一方下部直線状切目線１０と裏面側の積層フィルム２の上記他方下部直線状切目線１４は表裏同一水準位置に設けられている。
【００５４】
これは、ノッチ４（４）から開始された切断線が、第１傾斜切目線１１（１１）に到達する前に、一方又は他方上部直線状切目線９，１３、或いは、一方又は他方下部直線状切目線１０，１４に到達したとしても、上記各直線状切目線９，１０，１３，１４は一方と他方にて同一水準位置に形成されているので、表面側の積層フィルム１側は、一方上部直線状切目線９又は一方下部直線状切目線１０から第１又は第２傾斜切目線１１，１２を介して中央直線状切目線８に誘導し得るし、裏面側の積層フィルム２側も、上下部直線状切目線１３，１４を介して上部ジグザグ状切目線１５又は下部ジグザグ状切目線１６又は連続ひし形状切目線１７に各々誘導することができ、最終的に、開口部に段差を設けることができるからである。
【００５５】
さらに、図４に示すように、上記裏面側の積層フィルム２の上記他方上部直線状切目線１３（１３）の各内側端１３ａ（１３ａ）は、上記表面側の積層フィルム１の上記第２傾斜切目線１２(１２)の内側端（端部）８ａ（８ａ）の左右方向位置にて、上記上部ジグザグ状切目線１５の両端部１３ａ(１３ａ)に各々接続されており、上記裏面側の積層フィルム２の上記他方下部直線状切目線１４（１４）の各内側端１４ａ（１４ａ）は、上記表面側の積層フィルム１の上記第２傾斜切目線１２(１２)の内側端８ａ（８ａ）の左右方向位置にて、上記下部ジグザグ状切目線１６の両端部１４ａ(１４ａ)に各々接続されている。さらに、上記連続ひし形切目線１７の両端の頂点１７ｇ（１７ｇ）の左右方向位置も、上記両端部１３ａ（１３ａ）、１４ａ（１４ａ）に一致するように構成されている。
【００５６】
即ち、他方上部直線状切目線１３（１３）の内側端１３ａ（１３ａ）、及び、他方下部直線状切目線１４（１４）の内側端１４ａ（１４ａ）の位置は、共に、第２傾斜切目線１２（１２）の内側端８ａ（８ａ）に左右方向に一致する位置に設けられている。
【００５７】
これは、表面側の切断線は、第２傾斜切目線１２から中央直線状切目線８に誘導され、裏面側は、例えば上部直線状切目線１３の内側端１３ａから上部ジグザグ状切目線１５に誘導されるが、力の入り具合等により、裏面側の切断線が、他方上部直線状切目線１３の内側端１３ａの近傍位置から、表面側の切断線につられて（誘導されて）、第２傾斜切目線１２の内側端、即ち、上記内側端（端部）８ａの方向に切断されることがある。この場合、裏面側の積層フィルム２であるが、表面側の上記内側端８ａ近傍位置に切断された切断線を、連続ひし形状切目線１７の上辺又は下辺の何れかに、頂点１７ｇから誘導し易くするためである。
【００５８】
そして、上記裏面側の積層フィルム２の上記上部ジグザグ状切目線１５と上記下部ジグザグ状切目線１６の上下方向の中央位置に、上記表面側の積層フィルム１の上記中央直線状切目線８が形成されている。
【００５９】
これは、表面側の積層フィルム１は中央直線状切目線８に沿って必ず切断され、裏面側の積層フィルム２は、上部又は下部ジグザグ状切目線１５又は１６、又は連続ひし形状切目線１７の上辺又は下辺に沿って切断されるので、開口部に確実に段差を生じさせることができるからである。しかも、切断線は、上部又は下部ジグザグ状切目線１５又は１６、又は連続ひし形状切目線１７の上辺又は下辺に沿って切断されても、一方のフィルムは直線、他方のフィルムはジグザグ状になるため、視覚的に開口部に段差があることを、容易に判別することができるものである。
【００６０】
また、図５に示すように、上記裏面側の積層フィルム２の上記連続ひし形状切目線１７の各ひし形１７’は、各水平対角線に沿って上記表面側の積層フィルム１の上記中央直線状切目線８が位置している。
【００６１】
これは、連続ひし形状切目線１７は、上部ジグザグ状切目線１５と下部ジグザグ状切目線１６の中間に位置しているため、上部又は下部ジグザグ状切目線１５，１６からずれた切断線を容易に捕捉して、連続ひし形状切目線１７の上の辺１７ａ，１７ｂ又は下の辺１７ｅ，１７ｄに沿って切断線を誘導することができるし、仮に、連続ひし形状切目線１７に沿って切断されても、その水平対角線に中央直線状切目線８が位置しているので、上辺部の切断後は、開口部に段差があることを視覚的に明確に示すことができる。
【００６２】
そして、上記上部ジグザグ状切目線１５と上記下部ジグザグ状切目線１６の上下の最接近位置（頂点１５ｂと頂点１６ｂの間）に、上記連続ひし形状切目線１７の各ひし形１７’の各水平対角線の左右頂点１７ｇ，１７ｇが位置しており、上記上部ジグザグ状切目線１５と上記下部ジグザグ状切目線１６の上下の最も間隔の開いた位置（頂点１５ａと頂点１６ａの間）に、上記連続ひし形状切目線１７の各ひし形１７’の各垂直対角線の上下頂点１７ｅ，１７ｆが位置してするように構成されている。
【００６３】
このように構成すると、上記連続ひし形状切目線１７の上の辺１７ａ，１７ｂと上記上部ジグザグ状切目線１５の二辺（辺）１５ｃ，１５ｄが平行となり、上記連続ひし形切目線１７の下の辺１７ｃ，１７ｄと上記下部ジグザグ状切目線１６の二辺（辺）１６ｃ，１６ｄが平行となるため、上部又は下部ジグザグ状切目線１５又は１６からずれた切断線は、連続ひし形状切目線１７の上の辺１７ａ，１７ｂ又は下の辺１７ｃ，１７ｄに沿って切断することができるため、何れにしても開口部に明確な段差を形成することが可能となる。
【００６４】
本発明は上述のように構成されているものであるから、以下、その作用について説明する。
【００６５】
製袋時においては、通常、積層フィルムに、ノッチ４，４が切り込まれ、かつ、レーザによって切目線８，１５，１６等が入れられ、その後、積層フィルムが表裏合わせられ、３辺が熱溶着され、内容物が充填された後に、最後の辺が熱溶着される。このような製袋、充填の過程において、積層フィルムは左右方向に収縮が生じることがある。
【００６６】
仮に、左右方向の収縮が生じたとしても、本発明に係る包装袋７は、ノッチ４（４）から仮想延長線Ｌ１に沿って第１傾斜切目線１１（１１）まで十分な距離Ｔが存在するため、仮に、積層フィルムに左右方向の収縮が生じたとしても、上記距離Ｔが若干縮小されることはあっても、ノッチ４（４）の内側の端部が第１傾斜切目線１１に至ることはなく、従って、切断線（仮想延長線Ｌ１上に沿って切断される）を第１傾斜切目線１１に適切に到達させることができる。
【００６７】
次に、図１、図２における易開封手段５，６より上辺部１’の右側を摘まんで、奥側に押して切断する場合を説明する。
【００６８】
図１の右側のノッチ４から、上辺部１’を摘まんで、奥側に切断すると、ノッチ４からの切断線が、熱溶着部３ａ内を仮想延長線Ｌ１に沿って切断され、内縁３ａ’を過ぎて、第１傾斜切目線１１の中間部に到達するので、その後、切断線は、奥側に力が入っている関係上、第１傾斜切目線１１に沿って上方に切断され、表面側は、内側端１１ａ（内側端９ａ）至り、該内側端１１ａ（９ａ）から第２傾斜切断線１２に誘導され、その後は、端部８ａから中央直線状切目線８に沿って切断される。
【００６９】
その後、切断線は右側に移行し、端部８ａから第２傾斜切目線１２に沿って切断され、内側端１１ａ（９ａ）を経て第１傾斜切目線１１に沿って切断され、引き続いて、内側端１０ａ（外側端１１ｂ）を通って、一方下部直線状切目線１０等に沿って切断され、表面側には中央直線状切目線８に沿って切断された切断線１８が形成される（図６参照）。
【００７０】
裏面側は（図４参照）、ノッチ４からの切断線が、第１傾斜切目線１１の内側端１１ａ（９ａ）に到達した時点で、裏面側の他方上部直線状切目線１３に移行し、端部１３ａを経て、上部ジグザグ状切目線１５に沿って切断される。従って、裏面側の積層フィルム２は、その後、上部ジグザグ状切目線１５に沿って左方向に切断され、上二辺（辺）１５ｃ，１５ｄ、及び、各頂点１５ａ（上頂点），１５ｂ（下頂点）を通りながら、右方向に切断され、右側において、端部１３ａを経て他方上部直線状切目線１３に沿って切断され、裏面側は上部ジグザグ状切目線１５に沿って切断されたジグザグ状の切断線１９が形成される（図６参照）。
【００７１】
このとき、表面側の直線状の切断線１８の裏側は、上記切断線１８より上方の位置に、ジグザグ状の切断線１９が突出しているので、開封者は、容易に、ジグザグ状の切断線１９に指をかけて、表裏の積層フィルム１，２を開封することが可能となる。
【００７２】
このとき、直線状の切断線１８の背後にジグザグ状の切断線１９が突出しているので、操作者は、視覚的に、ジグザグ状の切断線１９に指をかけて開封し得ることが、容易に理解できるという利点がある。
【００７３】
また、仮に、裏面側において、上部ジグザグ状切目線１５のすぐ下方には連続ひし形切目線１７の上二辺（辺）１７ａ，１７ｂが近接して平行に設けられているので、力の方向から、上部ジグザグ状切目線１５から切断線が下方にずれたとしても、ずれた切断線は、上記連続ひし形状切線１７の上辺（辺）１７ａ又は上辺（辺）１７ｂに直ぐに移行し得るため、同様に、ジグザグ状の切断線１９’を形成することができる（図６参照）。
【００７４】
よって、同様に、直線状の切断線１８の背後にジグザグ状の切断線１９’が突出している状態となるので、操作者は、視覚的に、ジグザグ状の切断線１９’に指をかけて開封し得ることが、容易に理解できるという利点がある。
【００７５】
特に、頂点１５ａ又は１５ｂにおいては、上部ジグザグ状切目線１５の切目線の方向性が変わるので、切断線がずれ易いが、その場合においても、連続ひし形切目線１７が平行に近接して配置されているので、切断線は容易に抵抗の低い、連続ひし形切目線１７（上辺１７ａ，１７ｂ）に移行することができる。
【００７６】
次に、図１の右側のノッチ４から、上辺部１’を摘まんで、手前側に切断する場合を説明する（図３参照）。この場合、ノッチ４からの切断線が、熱溶着部３ａ内を仮想延長線Ｌ１に沿って切断され、内縁３ａ’を過ぎて、第１傾斜切目線１１の中間部に到達するので、その後、切断線は、第１傾斜切目線１１に誘導され、該切目線１１に沿って上方に切断され、表面側は、内側端１１ａ（９ａ）に至り、該内側端１１ａから第２傾斜切断線１２に誘導され、その後は、端部８ａから中央直線状切目線８に沿って切断される。この点は、上記の例と同様である。
【００７７】
従って、その後、切断線は右側に移行し、端部８ａから第２傾斜切目線１２に沿って切断され、内側端１１ａ（９ａ）を経て第１傾斜切目線１１に沿って切断され、引き続いて、一方下部直線状切目線１０等に沿って切断され、表面側には、同様に、中央直線状切目線８に沿って切断された切断線１８が形成される（図７参照）。或いは、上記内側端１１ａから第１傾斜切目線１１に移行せずに、一方上部直線状切目線９に沿って切断される。
【００７８】
裏面側は（図４参照）、ノッチ４からの切断線が、第１傾斜切目線１１の内側端１１ａ（９ａ）に到達した時点で、裏面側の他方上部直線状切目線１３に移行し、端部１３ａを経て、上部ジグザグ状切目線１５に沿って切断される。この場合は、図６に示したように、上部ジグザグ状切線１５に沿って切断され、上記切断線１９が形成される。この場合は、上記の場合と全く同じである。
【００７９】
ここでは、他方上部直線状切目線１３（端部１３ａ近傍）に移行した後、手前側に切断している関係上、切断線が他方上部直線状切目線１３から下部ジグザグ状切目線１６に移行した場合を説明する。
【００８０】
この場合、裏面側の積層フィルム２は、その後、下部ジグザグ状切目線１６に沿って右方向に切断され、下辺（辺）１６ｃ，１６ｄ、及び、各頂点１６a（下頂点）、１６ｂ（上頂点）を通りながら、右方向に切断され、右側において、端部１４ａを経て他方下部直線状切目線１４に沿って切断され、裏面側は下部ジグザグ状切目線１６に沿って切断されたジグザグ状の切断線２０が形成される（図７参照）。
【００８１】
このとき、表面側の直線状の切断線１８の裏側は、上記切断線１８より下方の位置に、ジグザグ状の切断線２０が形成されているので、開封者は、容易に、上部側の切断線１８に指をかけて、表裏の積層フィルム１，２を開封することが可能となる。
【００８２】
このとき、直線状の切断線１８の背後にジグザグ状の切断線２０が形成されているので、操作者は、視覚的に、表面側の切断線１８と裏面側のジグザグ状の切断線２０の間に指をかけて開封し得ることが、容易に理解できるという利点がある。
【００８３】
また、仮に、裏面側において、下部ジグザグ状切目線１６のすぐ上方には連続ひし形切目線１７の下の二辺（辺）１７ｃ，１７ｄが近接して平行に設けられているので、力の方向から、下部ジグザグ状切目線１６から切断線が上方にずれたとしても、ずれた切断線は、上記連続ひし形状切線１７の下辺（辺）１７ｃ又は下辺（辺）１７ｄに直ぐに移行し得るため、同様に、ジグザグ状の切断線２０’を形成することができる（図７参照）。
【００８４】
よって、同様に、直線状の切断線１８の背後にジグザグ状の切断線２０’が形成されている状態となるので、操作者は、視覚的に、直線状の切断線１８とジグザグ状の切断線２０’の間に指をかけて開封し得ることが、容易に理解できるという利点がある。
【００８５】
特に、頂点１６ａ又は１６ｂにおいては、下部ジグザグ状切目線１６の切目線の方向性が変わるので、切断線がずれ易いが、その場合においても、連続ひし形切目線１７が平行に近接して配置されているので、切断線は容易に抵抗の低い、連続ひし形切目線１７（下辺１７ｃ，１７ｄ）に容易に移行することができる。
【００８６】
また、上記表面側の切断線が、内側端１１ａ（９ａ）に位置した後、第２傾斜切目線１２に移行していく過程において、力の入り具合によって、裏面側の切断線が、連続ひし形状切目線１７の端部としての頂点１７ｇ（図４参照）に移行し、その位置から、奥前側に押している場合は、連続ひし形切目線１７の上の辺１７ａ，１７ｂに沿って切断される場合がある。また、上記頂点１７ｇ（図４参照）から、手前側に引いている場合は、連続ひし形切目線１７の下の辺１７ｃ，１７ｄに沿って切断される場合がある。
【００８７】
これらの場合であっても、奥側に押している場合は、表面側は中央直線状切目線８に沿う切断線１８が形成され、その裏面側には、連続ひし形切目線１７の上の二辺に沿う切断線１９’が形成され（図６参照）、手前に引いている場合は、表面側は中央直線状切目線８に沿う切断線１８が形成され、その裏面側には、連続ひし形切目線１７下の二辺に沿う切断線２０’が形成されるため（図７参照）、何れにしても、段差が確実に形成され、かつ段差が生じていることを視覚的にわかりやすい状態で操作者に伝えることができるという利点がある。
【００８８】
そして、裏面側の積層フィルム１では、連続ひし形切目線１７の両端部の頂点１７ｇ（１７ｇ）の左右方向位置が、上部ジグザグ状切目線１５の両端部の内側端１３ａと、下部ジグザグ状切目線１６の両端部の内側端１４ａ（１４ａ）とに各々に一致しているので、上記内側端１３ａ又は内側端１４ａに到達した切断線が、連続ひし形状切目線１７の両端部としての頂点１７ｇに移行し易い、という利点もある。
【００８９】
図８に示すものは、図３の別の実施形態であり、表面側の積層フィルム１の両端側の構成が異なるものである。要するに、上部直線状切目線９と下部直線状切目線１０の長さを逆転し、従って、外側から内側に向けて第１傾斜切目線１１が下り傾斜に構成され、かつ、第２傾斜切目線１２が、外側から内側にかけて上り傾斜に構成されたものである。その他の構成（裏面側の積層フィルム２の構成）は、図３に示す実施形態と同様である。このように構成しても、上記図３の実施形態と同様の効果を得ることができるものである。
【００９０】
以上のように、本発明によれば、左右の第１傾斜切目線１１（１１）の両内側端９ａ（９ａ）の位置は、上記左右の上記熱溶着部３ａ（３ｂ）の両内縁３ａ’（３ｂ’）より各々内側に位置し、切込線からの仮想延長線Ｌ１（実際には切断線）が、第１傾斜切目線１１に到達するまで距離Ｔが長くとってあるので、仮に、製袋時にフィルムの左右方向の収縮が生じても、切込線と切目線とが近接、或いは、切込線が切目線を横切ることはなく、フィルムの左右方向の収縮が生じても、段差付の開封性には何ら影響を及ぼさない。
【００９１】
また、上辺部１’を摘まんで易開封手段５，６に沿って上辺部１’を切断すると、一方のフィルム（表面側の積層フィルム１）には中央直線状切目線８に沿った直線状の切断線１８が表れ、他方のフィルム（裏面側の積層フィルム２）には例えば上部ジグザグ状切目線１５に沿った切断線１９が直線状の切断線１８の上に表れるので、段差が生じたことを視認し易いと共に、ジグザグ状の切断線に指を掛けて容易に開封することが可能となる。
【００９２】
また、例えば他方のフィルム（裏面側の積層フィルム２）において、上部ジグザグ状切目線１５に沿って切断されている途中に、切断線が上記上部ジグザグ状切目線１５からずれたとしても、近接しつつ平行である連続ひし形状切目線１７の上の二辺（辺）１７ａ，１７ｂに、上記切断線は誘導され、その後は連続ひし形状切目線１７のひし形１７’に沿って切断することができるし、下部ジグザグ状切目線１６に沿って切断されている途中に、切断線が上記下部ジグザグ状切目線１６からずれたとしても、近接しつつ平行である連続ひし形状切目線１７の下の二辺（辺）１７ｃ，１７ｄに、上記切断線は誘導され、その後は連続ひし形状切目線１７のひし形１７’に沿って切断することができるので、何れにしても、段差を確実に形成することが可能となる。
【００９３】
即ち、上部又は下部ジグザグ状切目線１５，１６に連続ひし形状切目線１７の上辺又は下辺が平行に走り、上下で２本の切目線とすることで、切断線のずれを補正することができる。
【００９４】
また、裏面側に、ジグザグ状の屈曲点（１５a，１５ｂ、１６ａ，１６ｂ、）、ひし形の屈曲点（１７ｅ，１７ｆ，１７ｇ）を設けることで、切断線を抵抗が少ない有利な方向に誘導することができる。
【００９５】
また、切込線４から開始された切断線が、第１傾斜切目線１１に到達する前に、一方又は他方上部直線状切目線９，１３、或いは、一方又は他方下部直線状切目線１０，１４に到達したとしても、上記各直線状切目線は一方と他方にて同一水準位置に形成されているので、一方のフィルム側（表面の積層フィルム１側）は、第１又は第２傾斜切目線１１，１２を介して中央直線状切目線８に誘導し得るし、他方のフィルム側（裏面の積層フィルム２側）も、上部ジグザグ状切目線１５又は下部ジグザグ状切目線１６又は連続ひし形状切目線１７に各々誘導することができ、開口部を段差状に開口することが可能となる。
【００９６】
また、一方のフィルム（表面側の積層フィルム１）は中央直線状切目線８に沿って必ず切断され、他方のフィルム（裏面側の積層フィルム２）は上部又は下部ジグザグ状切目線１５，１６に沿って切断されるので、開口部に確実に段差を生じさせることができる。しかも、切断線は、一方のフィルム（表面側の積層フィルム１）は直線、他方のフィルム（裏面側の積層フィルム２）はジグザグ状になるため、視覚的に開口部に段差があることを、容易に判別することができるものである。
【００９７】
また、連続ひし形状切目線１７は、上部ジグザグ状切目線１５と下部ジグザグ状切目線１６の中間に位置しているため、上部又は下部ジグザグ状切目線１５，１６からずれた切断線を容易に捕捉して、連続ひし形状切目線１７の上の辺又は下の辺に沿って切断線を誘導することができるし、仮に、連続ひし形状切目線１７に沿って切断されても、その水平対角線に中央直線状切目線８が位置しているので、上辺部１’の切断後は、開口部に段差があることを視覚的に明確に示すことができる。
【００９８】
また、上記連続ひし形状切目線１７の上の辺と上記上部ジグザグ状切目線１５が平行となり、上記連続ひし形切目線１７の下の辺と上記下部ジグザグ状切目線１６が平行となるため、上部又は下部ジグザグ状切目線１５，１６からずれた切断線は、連続ひし形状切目線１７の上の辺又は下の辺に沿って切断することができるため、何れにしても開口部に明確な段差を形成することが可能となる。
【００９９】
また、表面側を１本の切目線、裏面側をジグザグ状の切目線とすることで、表面側においてデザインを阻害しない切目線とすることができる。
【０１００】
尚、ノッチ４は実施形態ではＩ型のノッチを示したが、Ｖ型、Ｕ型等の各種形状でも良い。また、表裏の積層フィルムとしては、基材層として、例えば、ナイロンフィルム（ポリアミド系の樹脂フィルム）、二軸延伸ポリエチレンテレフタレートフィルム、中間層としてアルミニウム箔等のバリア性フィルム、最内層のシーラント層としては、低密度ポリエチレン樹脂、直鎖状低密度ポリエチレン樹脂等を用いる。
【産業上の利用可能性】
【０１０１】
本発明に係る段差カット可能な包装袋によれば、例えば再封可能な包装袋であって、食品、化粧品、医薬品等の包装袋として広く利用が可能である。
【符号の説明】
【０１０２】
１              表面側の積層フィルム（一方のフィルム）
２              裏面側の積層フィルム（他方のフィルム）
３              熱溶着部
４              ノッチ（切込線）
７              包装袋
８              中央直線状切目線
８ａ            端部（内側端）
９              一方上部直線状切目線
９ａ            内側端
１０            一方下部直線状切目線
１０ａ          内側端
１１            第１傾斜切目線
１１ａ          内側端
１２            第２傾斜切目線
１３            他方上部直線状切目線
１３ａ          内側端
１４            他方下部直線状切目線
１４ａ          内側端
１５            上部ジグザグ状切目線
１５ｃ，１５ｄ  二辺（辺）
１６            下部ジグザグ状切目線
１６ｃ，１６ｄ  二辺（辺）
１７            連続ひし形状切目線
１７ａ，１７ｂ  上の二辺（辺）
１７ｃ，１７ｄ  下の二辺（辺）
１７’          ひし形
１７ｅ，１７ｆ  頂点
１７ｇ          頂点
Ｌ１            仮想延長線
【要約】
【課題】開封部に確実に段差を生じさせ、フィルムの収縮にも対応し得る段差カット可能な包装袋を提供する。
【解決手段】一方フィルムには、切込線４に沿う中央直線状切目線８が形成され、中央直線状切目線の端側に、切込線の上下に一方上部直線状切目線９と一方下部直線状切目線１０と、これらを結ぶ第１傾斜切目線１１と、第１傾斜切目線と中央直線状切目線の端部を結ぶ第２傾斜切目線１２が形成され、他方フィルムには、切込線の上下に他方上部直線状切目線１３と他方下部直線状切目線１４と、他方上部直線状切目線の内側端を結ぶ上部ジグザグ状切目線１５と、他方下部直線状切目線の内側端を結ぶ下部ジグザグ状切目線１６と、上部及び下部ジグザグ状切目線の間に位置する連続ひし形状切目線１７が形成され、第１傾斜切目線の内側端の位置は、左右の熱溶着部の両内縁より各々内側に位置するように構成した。
【選択図】  図１【図１】
0006862595.tif 000002
【図２】
0006862595.tif 000003
【図３】
0006862595.tif 000004
【図４】
0006862595.tif 000005
【図５】
0006862595.tif 000006
【図６】
0006862595.tif 000007
【図７】
0006862595.tif 000008
【図８】
0006862595.tif 000009